(57)【要約】【課題】  対象領域のパターンと補正パターンとを比較して両者が合致しているか否かを判定するために対象領域のパターンと全ての補正パターンとを比較するために比較判定に時間がかかり輪郭処理速度が遅くなる。【解決手段】  白画素が横一列に連続したパターン、黒画素が横一列に連続したパターン、白画素が縦一列に連続したパターン、黒画素が縦一列に連続したパターン、の４種類を補正判定パターンとして備え、対象領域パターンがいずれかの補正判定パターンと合致したときには、補正パターンとの比較処理を行わないようにする。【選択図】  図９
2005223696.tif 000002
【特許請求の範囲】
【請求項１】
所定サイズの対象領域のパターンと予め定めた補正パターンとを比較し、この比較結果に基づいて前記対象領域の注目画素の補正を行う画像処理装置において、前記対象領域のパターンが予め定めた補正判定パターンに合致しているときには前記補正パターンとの比較を行わないことを特徴とする画像処理装置。
【請求項２】
請求項１に記載の画像処理装置において、前記補正判定パターンを複数種類備えていることを特徴とする画像処理装置。
【請求項３】
請求項１又は２に記載の画像処理装置において、前記補正判定パターンは一列に黒画素が並んでいるか否かを判定するためのパターン及び／又は一列に白画素が並んでいるか否かを判定するためのパターンであることを特徴とする画像処理装置。
【請求項４】
請求項３に記載の画像処理装置において、前記補正判定パターンは縦一列及び／又は横一列に黒画素又は白画素が並んでいるか否かを判定するためのパターンであることを特徴とする画像処理装置。
【請求項５】
所定サイズの対象領域のパターンと予め定めた補正パターンとを比較し、この比較結果に基づいて前記対象領域の注目画素の補正を行って画像形成装置に出力する画像データを生成するプリンタドライバにおいて、前記対象領域のパターンが予め定めた補正判定パターンに合致しているときには前記補正パターンとの比較を行わないことを特徴とするプリンタドライバ。
【請求項６】
請求項５に記載のプリンタドライバにおいて、前記補正判定パターンを複数種類備えていることを特徴とするプリンタドライバ。
【請求項７】
請求項５又は６に記載のプリンタドライバにおいて、前記補正判定パターンは一列に黒画素が並んでいるか否かを判定するためのパターン及び／又は一列に白画素が並んでいるか否かを判定するためのパターンであることを特徴とするプリンタドライバ。
【請求項８】
請求項７に記載のプリンタドライバにおいて、前記補正判定パターンは縦一列及び／又は横一列に黒画素又は白画素が並んでいるか否かを判定するためのパターンであることを特徴とするプリンタドライバ。
【請求項９】
所定サイズの対象領域のパターンと予め定めた補正パターンとを比較し、この比較結果に基づいて前記対象領域の注目画素の補正を行う画像形成装置において、前記対象領域のパターンが予め定めた補正判定パターンに合致しているときには前記補正パターンとの比較を行わないことを特徴とする画像形成装置。
【請求項１０】
請求項９に記載の画像形成装置において、前記補正判定パターンを複数種類備えていることを特徴とする画像形成装置。
【請求項１１】
請求項９又は１０に記載の画像形成装置において、前記補正判定パターンは一列に黒画素が並んでいるか否かを判定するためのパターン及び／又は一列に白画素が並んでいるか否かを判定するためのパターンであることを特徴とする画像形成装置。
【請求項１２】
請求項１１に記載の画像形成装置において、前記補正判定パターンは縦一列及び／又は横一列に黒画素又は白画素が並んでいるか否かを判定するためのパターンであることを特徴とする画像形成装置。
【請求項１３】
所定サイズの対象領域のパターンと予め定めた補正パターンとを比較し、この比較結果に基づいて前記対象領域の注目画素の補正を行う画像処理装置において、前記対象領域の注目画素の周囲の画素を前記補正パターンと比較する第１ステップと、この第１ステップで前記注目画素の周囲の画素が前記補正パターンと合致しているときには前記第１ステップで比較した画素領域の周囲の画素を前記補正パターンと比較する第２ステップとを行うことを特徴とする画像処理装置。
【請求項１４】
所定サイズの対象領域のパターンと予め定めた補正パターンとを比較し、この比較結果に基づいて前記対象領域の注目画素の補正を行って画像形成装置に対して出力する画像データを生成するプリンタドライバにおいて、前記対象領域の注目画素の周囲の画素を前記補正パターンと比較する第１ステップと、この第１ステップで前記注目画素の周囲の画素が前記補正パターンと合致しているときには前記第１ステップで比較した画素領域の周囲の画素を前記補正パターンと比較する第２ステップとを行うことを特徴とするプリンタドライバ。
【請求項１５】
所定サイズの対象領域のパターンと予め定めた補正パターンとを比較し、この比較結果に基づいて前記対象領域の注目画素の補正を行う画像形成装置において、前記対象領域の注目画素の周囲の画素を前記補正パターンと比較する第１ステップと、この第１ステップで前記注目画素の周囲の画素が前記補正パターンと合致しているときには前記第１ステップで比較した画素領域の周囲の画素を前記補正パターンと比較する第２ステップとを行うことを特徴とする画像形成装置。
【請求項１６】
所定サイズの対象領域のパターンと予め定めた補正パターンとを比較し、この比較結果に基づいて前記対象領域の注目画素の補正を行う画像処理装置において、前記対象領域の比較対象画素が比較した補正パターンとが一致しないときに次の比較対象画素と比較する補正パターンを指定する情報と各補正パターンとの関係を規定した補正パターンテーブルを備えていることを特徴とする画像処理装置。
【請求項１７】
請求項１６に記載の画像処理装置において、前記補正パターンテーブルには当該対象領域のパターンが合致する補正パターンが存在しないことを示す情報を含むことを特徴とする画像処理装置。
【請求項１８】
所定サイズの対象領域のパターンと予め定めた補正パターンとを比較し、この比較結果に基づいて前記対象領域の注目画素の補正を行って画像形成装置に出力するための画像データを生成するプリンタドライバにおいて、前記対象領域の比較対象画素が比較した補正パターンとが一致しないときに次の比較対象画素と比較する補正パターンを指定する情報と各補正パターンとの関係を規定した補正パターンテーブルを備えていることを特徴とするプリンタドライバ。
【請求項１９】
請求項１８に記載のプリンタドライバにおいて、前記補正パターンテーブルには当該対象領域のパターンが合致する補正パターンが存在しないことを示す情報を含むことを特徴とするプリンタドライバ。
【請求項２０】
所定サイズの対象領域のパターンと予め定めた補正パターンとを比較し、この比較結果に基づいて前記対象領域の注目画素の補正を行う画像形成装置において、前記対象領域の比較対象画素が比較した補正パターンとが一致しないときに次の比較対象画素と比較する補正パターンを指定する情報と各補正パターンとの関係を規定した補正パターンテーブルを備えていることを特徴とする画像形成装置。
【請求項２１】
請求項２０に記載の画像形成装置において、前記補正パターンテーブルには当該対象領域のパターンが合致する補正パターンが存在しないことを示す情報を含むことを特徴とする画像形成装置。
【発明の詳細な説明】
【技術分野】
【０００１】
本発明は画像処理装置、プリンタドライバ及び画像形成装置に関し、特に２値画像の輪郭を滑らかにする補正を行うことが可能な画像処理装置、プリンタドライバ及び画像形成装置に関する。
【背景技術】
【０００２】
プリンタ、ファクシミリ、複写装置、これらの複合機等の画像形成装置として、例えば液滴吐出ヘッドを記録ヘッドに用いたインクジェット記録装置が知られている。インクジェット記録装置は、インク記録ヘッドから用紙（紙に限定するものではなく、ＯＨＰなどを含み、インク滴、その他の液体などが付着可能なものの意味であり、被記録媒体あるいは記録媒体、記録紙などとも称される。）にインクを吐出して記録を行うものであり、高精細なカラー画像を高速で記録することができる。
【０００３】
このようなインクジェット記録装置は、廉価な価格設定と専用紙を用いた場合の高画質特性を有することから、当初はパーソナル用途で急速に普及していったが、最近では、電子写真方式のレーザープリンタが主流であったオフィスにおいても、カラー出力が可能な記録装置として使用されるようになっている。
【０００４】
ところで、インクジェット記録装置のような画像形成装置においては、低解像度で印写する方が高解像度で印写するよりも記録速度（画像形成速度）の高速化を図れるが、他方、低解像度で印写することは画像品質の低下を招くことになる。例えば、文字やグラフィックなどを記録する場合に、低解像度になるに従ってドットが減少するために斜線部にギザギザ（ジャギー）が目立つようになる。そこで、低解像度記録による高速化を図りつつ、画像品質を向上することが求められる。
【０００５】
従来、ジャギーを低減する方法あるいは装置としては、特許文献１に記載されているように、文字のビットマップ像の中のサンプルウインドウ（対象領域）のビットパターンと、あらかじめ定められたビットパターン（補正パターン）とを比較して、一致（合致）した場合に、サンプルウインドウ中の中心画素（注目画素である。）を小さなドットに修正するものがある。
【特許文献１】特許第２８８６１９２号公報
【０００６】
また、特許文献２に記載されているように、黒色のドットデータのなかから、画像の輪郭部分を判別し、エッジドット及び黒色ドット以外の印字ドットの大きさを小さくするものがある
【特許文献２】特許第３０２９５３３号公報
【０００７】
また、使用するインクとジャギー補正との関係を規定したものとして特許文献３に開示されているものがある。
【特許文献３】特開２００３−３３４９３８号公報
【発明の開示】
【発明が解決しようとする課題】
【０００８】
ところで、上述した従来例と同様に、所定サイズの対象領域のパターンと予め定めた補正パターンとを比較して、両者が合致した場合には注目画素を補正（変更、削除、追加など）し、合致しない場合（不一致の場合）には注目画素を変更しない処理を行うようにした場合、所定サイズの対象領域のパターンと補正パターンとの比較回数は、１つの注目画素について最大で（１サイズのドット数）×（補正パターン数）だけ必要になる。例えば、対象領域のサイズを５×５（画素）とした、補正パターン数を６４パターンとすると、５×５×６４＝１６００回になる。
【０００９】
このように、補正パターンとの比較回数が多くなると、ジャギー補正などの輪郭補正処理（スムージング処理）のための処理時間がかかり、低解像度による高速化の効果が減殺されることになる。また、高解像度記録を行う場合にも、より高品質な画像を得るために輪郭補正処理を行ったときには、一層処理時間が増加して出力速度が遅くなるという課題がある。
【００１０】
本発明は上記の課題に鑑みてなされたものであり、輪郭補正処理の処理時間の短縮化を図ることができる画像処理装置、プリンタドライバ及び画像形成装置を提供することを目的とする。
【課題を解決するための手段】
【００１１】
上記の課題を解決するため、本発明に係る画像処理装置、プリンタドライバあるいは画像形成装置は、対象領域のパターンが予め定めた補正判定パターンに合致しているときには当該対象領域のパターンと補正パターンとの比較を行わない構成とした。
【００１２】
ここで、補正判定パターンを複数種類備えていることが好ましい。また、補正判定パターンは一列に黒画素が並んでいるか否かを判定するためのパターン及び／又は一列に白画素が並んでいるか否かを判定するためのパターンであることが好ましく、この場合、補正判定パターンは縦一列及び／又は横一列に黒画素又は白画素が並んでいるか否かを判定するためのパターンであることが好ましい。
【００１３】
本発明に係る画像処理装置、プリンタドライバあるいは画像形成装置は、対象領域のパターンの注目画素の周囲の画素を補正パターンと比較する第１ステップと、この第１ステップで注目画素の周囲の画素が補正パターンと合致しているときには第１ステップで比較した画素領域の周囲の画素を補正パターンと比較する第２ステップとを行う構成とした。
【００１４】
本発明に係る画像処理装置、プリンタドライバ或いは画像形成装置は、対象領域の比較対象画素が比較した補正パターンとが一致しないときに次の比較対象画素と比較する補正パターンを指定する情報と各補正パターンとの関係を規定した補正パターンテーブルを備えている構成とした。
【００１５】
ここで、補正パターンテーブルには当該対象領域のパターンが合致する補正パターンが存在しないことを示す情報を含むことが好ましい。
【発明の効果】
【００１６】
本発明に係る画像処理装置、プリンタドライバあるいは画像形成装置によれば、対象領域のパターンが予め定めた補正判定パターンに合致しているときには当該対象領域のパターンと補正パターンとの比較を行わないので、補正パターンとの比較処理回数が減少して輪郭補正処理の高速化を図ることができる。
【００１７】
本発明に係る画像処理装置、プリンタドライバあるいは画像形成装置によれば、対象領域のパターンの注目画素の周囲の画素を補正パターンと比較する第１ステップと、この第１ステップで注目画素の周囲の画素が補正パターンと合致しているときには第１ステップで比較した画素領域の周囲の画素を補正パターンと比較する第２ステップとを行う構成としたので、早期に補正を要するか否かを判定できて輪郭補正処理の高速化を図ることができる。
【００１８】
本発明に係る画像処理装置、プリンタドライバ或いは画像形成装置によれば、対象領域のパターンの比較対象画素が比較する補正パターンの画素と一致しないときに次の比較対照画素と比較する補正パターンを指定する情報と補正パターンとの関係を規定した補正パターンテーブルを備えている構成としたので、比較回数が低減して輪郭補正処理の高速化を図ることができる。
【発明を実施するための最良の形態】
【００１９】
まず、本発明を適用する画像形成装置としてのインクジェット記録装置の一例について図１ないし図４を参照して説明する。なお、図１は同記録装置の機構部全体の概略構成図、図２は同記録装置の要部平面説明図、図３は同記録装置のヘッド構成を説明する斜視説明図、図４は同記録装置の搬送ベルトの模式的断面説明図である。
【００２０】
このインクジェット記録装置は、装置本体１の内部に画像形成部２等を有し、装置本体１の下方側に多数枚の記録媒体（以下「用紙」という。）３を積載可能な給紙トレイ４を備え、この給紙トレイ４から給紙される用紙３を取り込み、搬送機構５によって用紙３を搬送しながら画像形成部２によって所要の画像を記録した後、装置本体１の側方に装着された排紙トレイ６に用紙３を排紙する。
【００２１】
また、このインクジェット記録装置は、装置本体１に対して着脱可能な両面ユニット７を備え、両面印刷を行うときには、一面（表面）印刷終了後、搬送機構５によって用紙３を逆方向に搬送しながら両面ユニット７内に取り込み、反転させて他面（裏面）を印刷可能面として再度搬送機構５に送り込み、他面（裏面）印刷終了後排紙トレイ６に用紙３を排紙する。
【００２２】
ここで、画像形成部２は、ガイドシャフト１１、１２にキャリッジ１３を摺動可能に保持し、図示しない主走査モータでキャリッジ１３を用紙３の搬送方向と直交する方向に移動（主走査）させる。このキャリッジ１３には、液滴を吐出する複数の吐出口であるノズル孔１４ｎ（図３参照）を配列した液滴吐出ヘッドで構成した記録ヘッド１４を搭載し、また、この記録ヘッド１４に液体を供給するインクカートリッジ１５を着脱自在に搭載している。なお、インクカートリッジ１５に代えてサブタンクを搭載し、メインタンクからインクをサブタンクに補充供給する構成とすることもできる。
【００２３】
記録ヘッド１４としては、例えば、図２及び図３に示すように、イエロー（Ｙ）、マゼンタ（Ｍ）、シアン（Ｃ）、ブラック（Ｂｋ）の各色のインク滴を吐出する液滴吐出ヘッドである独立した４個のインクジェットヘッド１４ｙ、１４ｍ、１４ｃ、１４ｋとしているが、各色のインク滴を吐出する複数のノズル列を有する１又は複数のヘッドを用いる構成とすることもできる。なお、色の数及び配列順序はこれに限るものではない。
【００２４】
記録ヘッド１４を構成する液滴吐出ヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを液体を吐出するためのエネルギー発生手段として備えたものなどを使用できる。
【００２５】
給紙トレイ４の用紙３は、給紙コロ（半月コロ）２１と図示しない分離パッドによって１枚ずつ分離され装置本体1内に給紙され、搬送機構５に送り込まれる。
【００２６】
搬送機構５は、給紙された用紙３をガイド面２３ａに沿って上方にガイドし、また両面ユニット７から送り込まれる用紙３をガイド面２３ｂに沿ってガイドする搬送ガイド部２３と、用紙３を搬送する搬送ローラ２４と、この搬送ローラ２４に対して用紙３を押し付ける加圧コロ２５と、用紙３を搬送ローラ２４側にガイドするガイド部材２６と、両面印刷時に戻される用紙３を両面ユニット７に案内するガイド部材２７と、搬送ローラ２４から送り出す用紙３を押圧する押し付けコロ２８とを有している。
【００２７】
さらに、搬送機構５は、記録ヘッド１４で用紙３の平面性を維持したまま搬送するために、駆動ローラ３１と従動ローラ３２との間に掛け渡した搬送ベルト３３と、この搬送ベルト３３を帯電させるための帯電ローラ３４と、この帯電ローラ３４に対向するガイドローラ３５と、図示しないが、搬送ベルト３３を画像形成部２に対向する部分で案内するガイド部材（プラテンプレート）と、搬送ベルト３３に付着した記録液（インク）を除去するためのクリーニング手段である多孔質体などからなるクリーニングローラなどを有している。
【００２８】
ここで、搬送ベルト３３は、無端状ベルトであり、駆動ローラ３１と従動ローラ（テンションローラ）３２との間に掛け渡されて、図１の矢示方向（用紙搬送方向）に周回するように構成している。
【００２９】
この搬送ベルト３３は、単層構成、又は図４に示すように第１層（最表層）３３ａと第２層（裏層）３３ｂの２層構成あるいは３層以上の構成とすることができる。例えば、この搬送ベルト３３は、抵抗制御を行っていない純粋な厚さ４０μｍ程度の樹脂材、例えばＥＴＦＥピュア材で形成した用紙吸着面となる表層と、この表層と同材質でカーボンによる抵抗制御を行った裏層（中抵抗層、アース層）とで構成する。
【００３０】
帯電ローラ３４は、搬送ベルト３３の表層に接触し、搬送ベルト３３の回動に従動して回転するように配置されている。この帯電ローラ３４には図示しない高圧回路（高圧電源）から高電圧が所定のパターンで印加される。
【００３１】
また、搬送機構５から下流側には画像が記録された用紙３を排紙トレイ６に送り出すための排紙ローラ３８を備えている。
【００３２】
このように構成した画像形成装置において、搬送ベルト３３は矢示方向に周回し、高電位の印加電圧が印加される帯電ローラ３４と接触することで正に帯電される。この場合、帯電ローラ３４からは所定の時間間隔で極性を切り替えることによって、所定の帯電ピッチで帯電させる。
【００３３】
ここで、この高電位に帯電した搬送ベルト３３上に用紙３が給送されると、用紙３内部が分極状態になり、搬送ベルト３３上の電荷と逆極性の電荷が用紙３のベルト３３と接触している面に誘電され、ベルト３３上の電荷と搬送される用紙３上に誘電された電荷同士が互いに静電的に引っ張り合い、用紙３は搬送ベルト３３に静電的に吸着される。このようにして、搬送ベルト３３に強力に吸着した用紙３は反りや凹凸が校正され、高度に平らな面が形成される。
【００３４】
そこで、搬送ベルト３３を周回させて用紙３を移動させ、キャリッジ１３を片方向又は双方向に移動走査しながら画像信号に応じて記録ヘッド１４を駆動し、記録ヘッド１４から液滴を吐出（噴射）させて、停止している用紙３に液滴であるインク滴を着弾させてドットを形成することにより、１行分を記録し、用紙３を所定量搬送後、次の行の記録を行う。記録終了信号又は用紙３の後端が記録領域に到達した信号を受けることにより、記録動作を終了する。
【００３５】
このようにして、画像が記録された用紙３は排紙ローラ３８によって排紙トレイ６に排紙される。
【００３６】
次に、この画像形成装置の制御部の概要について図５を参照して説明する。なお、同図は同制御部の全体ブロック説明図である。
この制御部１００は、装置全体の制御を司るＣＰＵ１０１と、ＣＰＵ１０１が実行するプログラム、その他の固定データを格納するＲＯＭ１０２と、画像データ等を一時格納するＲＡＭ１０３と、装置の電源が遮断されている間もデータを保持するための不揮発性メモリ（ＮＶＲＡＭ）１０４と、各種信号処理、並び替え等を行う画像処理やその他装置全体を制御するための入出力信号を処理するＡＳＩＣ１０５とを備えている。
【００３７】
また、この制御部１００は、パーソナルコンピュータ等の画像処理装置（あるいはデータ処理装置）であるホスト９０側とのデータ、信号の送受を行うためのＩ／Ｆ１０６と、記録ヘッド１４を駆動制御するためのヘッド駆動制御部１０７及びヘッドドライバ１０８と、主走査モータ１１０を駆動するための主走査モータ駆動部１１１と、副走査モータ１１２を駆動するための副走査モータ駆動部１２３と、サブシステム７１のモータを駆動するためのサブシステム駆動部２９４と、環境温度及び／又は環境湿度を検出する環境センサ１１８、図示しない各種センサからの検知信号を入力するためのＩ／Ｏ１１６などを備えている。
【００３８】
また、この制御部１１０には、この装置に必要な情報の入力及び表示を行うための操作パネル１１７が接続されている。さらに、制御部１００は、帯電ローラ３４に対する高電圧を印加する高圧回路（高圧電源）１１４のオン／オフの切り替え及び出力極性の切り替え制御を行う。
【００３９】
ここで、制御部１００は、パーソナルコンピュータ等の画像処理装置、イメージスキャナなどの画像読み取り装置、デジタルカメラなどの撮像装置などのホスト９０側からの画像データを含む印刷データ（印字データ）等をケーブル或いはネットを介してＩ／Ｆ１０６で受信する。なお、本実施形態では、この制御部１００に対する印刷データの生成出力は、本発明に係る画像処理装置であるホスト９０側の本発明に係るプリンタドライバ９１によって行う構成としている。
【００４０】
そして、ＣＰＵ１０１は、Ｉ／Ｆ１０６に含まれる受信バッファ内の印刷データを読み出して解析し、ＡＳＩＣ１０５にてデータの並び替え処理等を行ってヘッド駆動制御部１０７に画像データを転送する。なお、画像出力するための印刷データのビットマップデータへの変換は、前述したようにホスト９０側のプリンタドライバ９１で画像データをビットマップデータに展開してこの装置に転送するようにしている。
【００４１】
ヘッド駆動制御部１０７は、記録ヘッド１４の１行分に相当する画像データ（ドットパターンデータ）を受け取ると、この１行分のドットパターンデータを、クロック信号に同期して、ヘッドドライバ１０８にシリアルデータで送出し、また所定のタイミングでラッチ信号をヘッドドライバ１０８に送出する。
【００４２】
このヘッド駆動制御部１０７は、駆動波形（駆動信号）のパターンデータを格納したＲＯＭ（ＲＯＭ１０２で構成することもできる。）と、このＲＯＭから読出される駆動波形のデータをＤ／Ａ変換するＤ／Ａ変換器を含む波形生成回路及びアンプ等で構成される駆動波形発生回路を含む。
【００４３】
また、ヘッドドライバ１０８は、ヘッド駆動制御部１０７からのクロック信号及び画像データであるシリアルデータを入力するシフトレジスタと、シフトレジスタのレジスト値をヘッド駆動制御部１０７からのラッチ信号でラッチするラッチ回路と、ラッチ回路の出力値をレベル変化するレベル変換回路（レベルシフタ）と、このレベルシフタでオン／オフが制御されるアナログスイッチアレイ（スイッチ手段）等を含み、アナログスイッチアレイのオン／オフを制御することで駆動波形に含まれる所要の駆動波形を選択的に記録ヘッド１４のアクチュエータ手段に印加してヘッドを駆動する。
【００４４】
そして、上述したように、上記の画像形成装置（インクジェット記録装置）では、装置内に画像の描画または文字のプリント命令を受けて実際に記録するドットパターンを発生する機能を持たない構成としているので、画像処理装置としてのホスト９０側のプリンタドライバ９１で画像データを生成してインクジェット記録装置に印字データとして出力する。
【００４５】
すなわち、ここでは、パーソナルコンピュータ等の情報処理装置として構成される画像処理装置（ホスト９０）で実行されるアプリケーションソフトなどからのプリント命令は、ホスト９０内にソフトウェアとして組み込まれた本発明に係るプリンタドライバ９１で処理してドットパターンの印字データにラスタライズし、これを画像形成装置に転送する。
【００４６】
そこで、本発明に係る画像処理装置における本発明に係るプリンタドライバによる輪郭補正処理（以下では「ジャギー補正」という。）に係わる部分について図６を参照して説明する。
画像処理装置（ホスト９０）内のＣＰＵ（主制御部）によって実行されるアプリケーションソフト２００やオペレーティングシステムからの画像の描画又は文字の記録命令、例えば記録する線の位置と太さと形などを記述したものや、記録する文字の書体と大きさと位置などを記述したものを、描画データメモリ２０１に一時的に保存する。
【００４７】
そして、この描画データメモリ２０１に記憶された命令は、ラスタライザ２０２によって解釈される。ラスタライザ２０２は、解釈の結果、線の描画命令であれば指定された位置や太さ等に応じたドットパターンに変換し、文字の記録命令であれば、フォントデータメモリ２０７より、対応したフォントデータを取り込み、画像形成装置で記録可能なラスタデータを生成し、このラスタデータをラスタデータメモリ２０３に一旦蓄積する。このラスタデータメモリ２０３に記憶された記録ドットパターン（ドットデータ）が印字データとして図示しないインターフェースを経由して画像形成装置側に出力（転送）される。
【００４８】
ここで、文字のドットパターンへの展開はラスタライザ２０２と独立したフォントプロセッサ２０４で行う。また、ラスタライザ２０２及びフォントプロセッサ２０４は、本発明に係るプリンタドライバ９０としてのソフトウェアとして実現される。なお、フォントデータメモリ２０７は描画データメモリ２０１と同一の物理メモリとすることも独立した物理メモリとすることもできる。
【００４９】
フォントプロセッサ２０４は、文字をフォントデータ（ビットマップデータ）に展開するドット展開手段２０５のほかに、文字輪郭部を補正するジャギー補正処理を行うジャギー補正手段２０６を含んでいる。なお、本実施形態では、フォントデータ（文字）に対してのみジャギー補正処理を施すが、文字だけでなく他の２値画像、例えばグラフィックス画像の斜線などの２値画像データに対しても同様のジャギー補正処理を施すようにすることもできる。
【００５０】
ジャギー補正手段２０６は、ドット展開手段２０５で展開されたフォントデータについて、注目画素を中心として所定サイズの対象領域に含まれる２値画像データ（これを「対象領域パターン」という。例えば５×５サイズのビットマップデータのパターン）を取得して、これを予め定めた複数種類の補正パターン（参照パターン、あるいは補正マスクパターンなどとも称する。）２０８と比較して両者が合致している（パターンマッチングしている）か否かを判定し、合致しているときには注目画素を補正（例えばドットサイズの変更、ドット削除、ドット追加等）する。
【００５１】
また、このジャギー補正手段２０６は、対象領域パターンと補正パターン２０８との比較に先立って、所定サイズの対象領域のパターンと予め定めた１又は複数の補正判定パターン２０９を比較して、両者が合致しているときには、当該対象領域パターンについては補正パターン２０８との比較を行わないで（スキップして）、次の対象領域の注目画素について再度補正判定パターン２０９と比較する処理に移行する。
【００５２】
さらに、このジャギー補正手段２０６は、対象領域パターンと補正パターンを比較するとき、予め定めた補正パターンテーブル２１０に格納されているテーブル情報（対象領域の比較対象画素が比較した補正パターンとが一致しないときに次の比較対象画素と比較する補正パターンを指定する情報）に従って補正パターンとの比較を行い、また、テーブル情報が当該対象領域パターンに合致する補正パターンがないことを示す情報であるときにはその段階で補正パターンとの比較を終了する。
【００５３】
そこで、この画像処理装置におけるプリンタドライバによるジャギー補正に係わる処理の詳細について図７以降をも参照して説明する。
まず、補正判定パターンを使用したスキップ処理について図７ないし図９を参照して説明する。画像データのうちの文字データ（文字イメージ）は点と線で表現した図形であることから、横方向及び／又は縦方向に同画素が連続する可能性が高いという特性を有している。例えば、図７に示すような「Ａ」の文字について見ると、その多くは横方向及び縦方向に白画素が連続する（黒画素が連続する部分もある。）。
【００５４】
一方、ジャギー補正のための補正パターンとしては、より適切な補正を行うためには複数種類（例えば３０〜６４パターン）を備えることが好ましい。そのため、対象領域のパターンと補正パターンが合致しているか否かを比較判定するパターンマッチング処理を行う場合、対象領域のパターンに含まれるすべての画素が補正パターンと合致しているか否かを１画素ずつ行ったのでは極めて比較処理時間がかかることになる。
【００５５】
そこで、本発明では文字パターンの特性にマッチし、補正パターンに含まれないパターンを補正判定パターンとして予め定めて、対象領域パターンがこの補正判定パターンに合致した場合には補正パターンとの比較判定処理（パターンマッチング処理）をスキップするようにしている。
【００５６】
ここで、文字パターンの特性にマッチした補正判定パターンとして、本実施形態では図８（ａ）に示すように白画素が横一列に連続したパターン、同図（ｂ）に示すように黒画素が横一列に連続したパターン、同図（ｃ）に示すように白画素が縦一列に連続したパターン、同図（ｄ）に示すように黒画素が縦一列に連続したパターン、の４種類を備えている。
【００５７】
なお、これらの補正判定パターンは、補正パターンには含まれないパターンである。また、図８の白画素又は黒画素以外の部分はこの補正判定パターンとの比較処理に使用しないので、白画素及び黒画素のいずれであっても良い。さらに、本実施形態ではパターンマッチング処理に用いる対象領域のサイズを５×５で説明するが、７×７のサイズやその他のサイズを用いることもできる。
【００５８】
そして、対象領域のパターンがこれら４種類のいずれかの補正判定パターンと一致したときには補正パターンとの比較処理をスキップする。この処理について図９を参照して説明する。
【００５９】
まず、所定サイズの対象領域のパターンとして、注目画素を中心として５×５のウインドウに対応したフォントデータ（ビットマップデータ）を取得し、補正判定パターンと比較して合致しているか否かを判別する。つまり、例えば、図８（ｂ）に示す補正判定パターンと比較して対象領域パターンは横一列が５画素とも黒画素である（注目画素の前後２画素が黒画素である）か否かを判別し、横一列＝５画素黒であれば、ジャギー補正は不要とする。
【００６０】
そして、横一列＝５画素黒でなければ、図８（ａ）に示す補正判定パターンと比較して横一列が５画素白である（注目画素の前後２画素が白画素である）か否かを判別し、横一列＝５画素白であれば、ジャギー補正は不要とする。横一列＝５画素白でなければ、図８（ｄ）に示す補正判定パターンと比較して縦一列が５画素黒である（注目画素の上下２画素が黒画素である）か否かを判別し、縦一列＝５画素黒であれば、ジャギー補正は不要とする。縦一列＝５画素黒でなければ、図８（ｃ）に示す補正判定パターンと比較して縦一列が５画素白（注目画素の上下２画素が白画素である）であるか否かを判別し、縦一列＝５画素白であれば、ジャギー補正は不要とする。
【００６１】
この結果、横一列又は縦一例が５画素とも黒画素又は５画素とも白画素であるときには補正パターンとの比較処理は行わないで、次の補正対象パターンの取得を行って同様の処理を行い、補正判定パターンと合致したときは補正パターンとの比較判定処理に移行する。
【００６２】
これにより、補正パターンと比較する回数が大幅に低減し、ジャギー補正の処理に要する時間が極めて短くなって高速処理を行うことができる。なお、ここでは、横一列又は縦一例が画素黒又は白画素の４種類の補正判定パターンを備える例で説明したがこれらのいずれか１つ又は２あるいは３種類若しくは４種類以上の補正判定パターンを備える構成とすることもできる。
【００６３】
例えば横一列が白画素又は黒画素である場合にスキップ処理を行う場合、例えば図１０に示すようなデータ（白画素は白四角で、黒画素はグレーで図示）であるとき、1バイト単位で比較を行うとすると、同図中のＡ，Ｂのラインで斜線を施した画素については、同画素が１バイト単位で連続しているため、補正対象とならず、補正パターンとの比較処理はスキップされる。これに対して、同図中のＣのラインでは同画素が１バイト単位で連続しているが注目画素Ｆに対して画素Ｄ、Ｅが異なるために、注目画素Ｆは補正対象となって補正パターンとの比較処理に移行する。
【００６４】
次に、補正パターンとの比較処理（パターンマッチング処理）について図１１ないし図１３を参照して説明する。
補正パターンを例えば５×５のサイズ（ウインドウ）とした場合、注目画素を中心として２５画素について比較判定を行わなければならない。この場合、検索効率（比較判定効率）を上げるためには、パターンマッチングしないとき（合致しないとき）にはできる限り早い段階で当該対象領域のパターンの注目画素が補正対象にならないとの判定を行う必要がある。
【００６５】
そこで、補正パターンとの比較判定処理（パターンマッチング処理）においては、注目画素の周囲１画素（これを「１画素近傍の画素」という。）を補正パターンと比較する第１ステップと、この第１ステップで注目画素の周囲の画素が補正パターンと合致しているときには第１ステップで比較した画素領域の周囲の画素（これを「２画素近傍の画素」という。）を補正パターンと比較する第２ステップを行い、第１ステップで合致していないときにはその段階で補正の必要なしと判定する。
【００６６】
例えば、図１１に示すように５×５のサイズであれば、中心の注目画素の周囲1画素（同図中に「１」を付した全部で８画素）について補正パターンと比較する第１ステップを行い（図１２（ａ）参照）、この第１ステップで注目画素の周囲の画素が補正パターンと合致しているときには第１ステップで比較した画素領域の周囲の画素（注目画素から２画素目の画素、図１１中に「２」を付した全部で１６画素）を補正パターンと比較する第２ステップ（図１２（ｂ）参照）を行い、第１ステップで合致していないときには第２ステップに移行することなる、第１ステップの段階で比較処理を終了する。
【００６７】
この比較処理について図１３を参照して説明すると、まず、１画素近傍の画素について比較を行い、不一致であればそのまま処理を終了し、一致であれば、次に２画素近傍のデータについてバイト変換（１６ビットであるので、そのうちの1バイトを取り出す処理）を行って２画素近傍の１バイト分のデータ（２画素近傍１という。）について比較を行い、不一致であればそのまま処理を終了し、一致であれば、次に２画素近傍のデータの残りのデータについてバイト変換（残りの１バイトを取り出す処理）を行って２画素近傍の残りの１バイト分のデータ（２画素近傍２という。）について比較を行い、不一致であればそのまま処理を終了し、一致であれば、補正フラグをセットする。なお、ジャギー補正はこの補正フラッグがセットされた注目画素について行う。
【００６８】
このように、補正パターンとの比較を注目画素に近いデータから行うことによって、早い段階で補正の必要がないことを判定できるようになり、処理の高速化を図れる。これは、補正パターンとの関係で注目画素に近いデータが不一致になる確率が高いという検証結果に依拠している。
【００６９】
次に、予め定めた複数の補正パターンについて比較に使用する補正パターンを指定するための補正パターンテーブルについて図１４ないし図１７を参照して説明する。
まず、補正パターンテーブルの概要について図１４に示すイメージ例（これを「比較対象パターン」といい、画素（セル）Ｓ１〜Ｓ４で構成され、セルＳ１、Ｓ４が黒画素、セルＳ２、Ｓ３が白画素のデータとする。）と図１５に示す補正パターンの例で説明する。
【００７０】
ここでは、説明の簡略化のために補正パターンのサイズを２×２のサイズとして、図１５（ａ）〜（ｅ）の補正パターン１〜５と比較を行うものとする。補正パターン１はセルＰＳ１、ＰＳ３、ＰＳ４が白、セルＰＳ２が黒のパターン、補正パターン２はセルＰＳ１、ＰＳ４が白、セルＰＳ２、ＰＳ３が黒のパターン、補正パターン３はセルＰＳ２、ＰＳ３、ＰＳ４が白、セルＰＳ１が黒のパターン、補正パターン４はセルＰＳ２、ＰＳ３が白、セルＰＳ１、ＰＳ４が黒のパターン、補正パターン５はセルＰＳ４が白、セルＰＳ１、ＰＳ２、ＰＳ３が黒のパターンである。
【００７１】
この場合、図１４に示す比較対象パターンが補正パターン１〜５と一致するか否かの判定を行うとき、最も単純には、次のように補正パターン１から順次補正パターン５まで比較することになる。
補正パターン１と比較（Ｓ１を比較、Ｓ２を比較、Ｓ３を比較、Ｓ４を比較）
補正パターン２と比較（Ｓ１を比較、Ｓ２を比較、Ｓ３を比較、Ｓ４を比較）
補正パターン３と比較（Ｓ１を比較、Ｓ２を比較、Ｓ３を比較、Ｓ４を比較）
補正パターン４と比較（Ｓ１を比較、Ｓ２を比較、Ｓ３を比較、Ｓ４を比較）
補正パターン５と比較（Ｓ１を比較、Ｓ２を比較、Ｓ３を比較、Ｓ４を比較）
【００７２】
そうすると、比較対象パターンが補正パターン４に合致することを判定するまでに、補正パターン１（４回）、補正パターン２（４回）、補正パターン３（４回）、補正パターン４（４回）の計１６回の判定を行う必要があるが、これでは非効率的であって処理速度が遅くなる。
【００７３】
そこで、例えば、図１６に示すような補正パターンテーブルを作成する。このテーブルにおいて、Ｓ１〜Ｓ４は対象領域パターン（比較対象パターン）のセル番号を表し、テーブル内の白と黒の塗りつぶしは補正パターンの各セルの塗りつぶし状態を表している。また、テーブル内の「不一致」は合致する補正パターンが存在しないことを示す情報であってジャギー補正を行わないことを、「パターンｘ（ｘ：１〜５の数字）は当該セル（当該比較対象画素）の白黒が不一致時、次のセル（比較対象画素）を表示されたパターンと比較することを表している。
【００７４】
これを図１４の比較対象パターンで説明すると、図１７に示すように、比較対象パターンのセルＳ１を補正パターン１のセルＰＳ１と比較したとき両者は一致しないので、補正パターンテーブルにより比較対象パターンの次の比較対象画素であるセルＳ２を補正パターン３のセルＰＳ２と比較するように指定される。
【００７５】
この比較対象パターンのセルＳ２は補正パターン３のセルＰＳ２と一致するので、そのまま、比較対象パターンの次の比較対象画素であるセルＳ３を補正パターン３のセルＰＳ３と比較する。このときも比較対象パターンのセルＳ３は補正パターン３のセルＰＳ３と一致するので、次に、比較対象パターンのセルＳ４を補正パターン３のセルＰＳ４と比較する。
【００７６】
このとき、比較対象パターンのセルＳ４は補正パターン３のセルＰＳ４と一致しないので、補正パターンテーブルにより補正パターン４に移動し、すべてのセルの比較が完了したので、補正パターン４の補正内容に従った補正を行う。
【００７７】
つまり、２×２サイズの対象領域の比較判定を行う場合、上記補正パターンテーブルを使用しないとき、最大比較判定回数は、セルの数（４）×パターン数（５）＝２０回になる。これに対して、補正パターンテーブルを使用したとき、最大判定回数は、セルの数（４）＝４回で済むことになる。これを、５×５サイズの対象領域の比較判定を行う場合について見ると、上記補正パターンテーブルを使用しないとき、最大比較判定回数は、セルの数（２５）×パターン数（Ｘ）＝２５Ｘ回になる。これに対して、補正パターンテーブルを使用したとき、最大判定回数は、セルの数（２５）＝２５回で済むことになり、パターン数Ｘ＝３０とすれば、２５×３０＝７５０回の比較が必要なところを２５回の比較で判定することができる。
【００７８】
このように、対象領域パターンの比較対象画素が比較する補正パターンと一致しないときに次の比較対象画素と比較する補正パターンを指定する情報と補正パターンとの関係を規定した補正パターンテーブルを備えることによって、比較回数が大幅に減少し、処理速度の高速化を図ることができる。
【００７９】
また、図１８に示すような比較対象パターンを例にして説明すると、比較対象パターンのセルＳ１を補正パターン１のセルＰＳ１と比較したとき両者は一致するので、そのまま、比較対象パターンの次の比較対象画素であるセルＳ２を補正パターン１のセルＰＳ２と比較する。
【００８０】
このとき、比較対象パターンのセルＳ２は補正パターン１のセルＰＳ２と一致せず、補正パターンテーブル上一致しないときには「不一致」とされているので、この比較対象パターンに合致する補正パターンは存在しないことになり、この段階で処理を終了することになる。
【００８１】
このように、補正パターンテーブルに比較対象パターンに合致する補正パターンは存在しないことを示す情報を併せ持つことによって、より処理の高速化を図ることができる。
【００８２】
なお、上述したプリンタドライバで説明したと同様なジャギー補正の画像処理方法を実現するプログラムをプリンタドライバとしてではなく、例えばインクジェット記録装置などの画像形成装置側に搭載してもよい。この場合、その実現方法は、インクジェット記録装置のＲＯＭなどの記憶手段にプログラムとして本発明に係る画像処理を行うプログラムを記憶しておき、ＣＰＵで本発明の各処理を行うようにすればよい。
【００８３】
この実施形態について、図１９を参照して簡単に説明すると、この画像形成装置であるインクジェット記録装置３００は、記録装置全体の制御を司るＣＰＵ（主制御部）３０１と、各種プログラム及び前記パターンマッチングを行うための補正パターン、上記画像処理のためのプログラムなどを格納したＲＯＭ３０２とでフォームウエアを構成し、ホスト（ＰＣ）９０のアプリケーションソフト２００によって与えられる文字コードデータなどの印字データ等を描画データメモリ３０３に格納する。
【００８４】
そして、この描画データメモリ３０３に記憶されたデータは、ラスタライザ３０４によって解釈され、線の記録命令であれば、指定された位置や太さ等に応じた記録ドットパターンに変換され、また、文字の記録命令であればフォントデータ３０８から対応する文字の輪郭情報を呼びだし指定された位置や大きさに応じて記録ドットパターン（ビットマップデータ）に変換してラスタデータメモリ３０５に記憶する。
【００８５】
ＣＰＵ３０１は、補正パターンを用いて画像の輪郭を補正するためにジャギー補正処理を行うとき、前述したプリンタドライバで説明したと同様な処理を行うことで、高速で補正処理を行うことができる。
【００８６】
そして、ラスタデータメモリ３０５に記憶された記録ドットパターン（ドットデータ）をプリンタエンジン３１０に出力して、記録ヘッドのアクチュエータ手段（圧力発生手段）の駆動、主走査、副走査を行って画像を記録する。
【００８７】
なお、ここでは、ＣＰＵを用いたソフトウエア（プログラム）でジャギー補正を行う例で説明しているが、ハードウエアのみで実現することも可能である。
【００８８】
このように画像形成装置側でビットマップ展開と画像処理とを行うことで、ホストと画像形成装置間のデータ転送がビットマップデータを用いないので高速になり、スループット向上が図れる。
【００８９】
さらに、上記説明では、画像形成装置がインクジェット記録装置である例で説明したが、電子写真方式を用いて画像を形成する画像形成装置の場合も、画像はドットマトリクスで形成されることから、文字やグラフィックス画像では、同様のジャギーが発生するので、これに対しても、本発明を適用することができる。
【００９０】
また、ＣＲＴや、液晶ディスプレーなどの表示装置でも、そこに表示される画像はドットマトリクスで形成されることから、文字やグラフィックス画像では、同様のジャギーが発生する。これに対しても、本発明を適用することができる。
【００９１】
ここで、電子写真方法を用いた画像形成装置の一例について図２０及び図２１を参照して簡単に説明する。なお、図２０は画像形成装置の概略構成図、図２１は同画像形成装置を構成するプロセスカートリッジの概略構成図である。
【００９２】
この画像形成装置４４０は、マゼンダ（Ｍ）、シアン（Ｃ）、イエロー（Ｙ）、ブラック（Ｂｋ）の４色でフルカラー画像を形成するレーザープリンタの一例であり、各色用の画像信号に応じたレーザビームを出射する4つの光書き込み装置４４２Ｍ、４４２Ｃ、４４２Ｙ、４４２Ｂｋと、作像用の４つのプロセスカートリッジ４４１Ｍ、４４１Ｃ、４４１Ｙ、４４１Ｂｋと、画像が転写される記録用紙を収納する給紙カセット４４３と、給紙カセット４４３から記録用紙を給紙する給紙ローラ４４４と、記録用紙を所定のタイミングで搬送するレジストローラ４４５と、記録用紙を各プロセスカートリッジの転写部に搬送する転写ベルト４４６と、記録用紙に転写された画像を定着する定着装置４４９と、定着後の記録用紙を排紙トレイ４５１に排紙する排紙ローラ４５０等を備えた構成となっている。
【００９３】
４つのプロセスカートリッジ４４１Ｍ、４４１Ｃ、４４１Ｙ、４４１Ｂｋの構成は同じであり、図２１に示すように、各プロセスカートリッジ４４１は、ケース内に像担持体であるドラム状の感光体４５２と、帯電ローラ４５３と、現像器４５４と、クリーニングブレード４５９等を一体に備えている。
【００９４】
また、現像器４５４内には、トナー供給ローラ、帯電ローラ、静電搬送基板４５７、トナー戻しローラ４５８が設けられており、各色のトナーが収納されている。また、プロセスカートリッジ４４１の背面側には、光書き込み装置からのレーザビームが入射される窓口となるスリット４６０が設けられている。
【００９５】
各光書き込み装置４４２Ｍ、４４２Ｃ、４４２Ｙ、４４２Ｂｋは、半導体レーザ、コリメートレンズ、ポリゴンミラー等の光偏向器、走査結像用光学系等から構成され、装置外部のパーソナルコンピュータ等のホスト（画像処理装置）から入力される各色用の画像データに応じて変調されたレーザビームを出射し、各プロセスカートリッジ４４１Ｍ、４４１Ｃ、４４１Ｙ、４４１Ｂｋの感光体４５２上を走査し、静電荷像（静電潜像）を書き込む。
【００９６】
そして、画像形成が開始されると、各プロセスカートリッジ４４１Ｍ、４４１Ｃ、４４１Ｙ、４４１Ｂｋの感光体４５２が帯電ローラ４５３で均一に帯電され、各光書き込み装置４４２Ｍ、４４２Ｃ、４４２Ｙ、４４２Ｂｋから画像データに応じたレーザビームが照射されて各感光体上に各色の静電潜像が形成される。感光体４５２上に形成された静電潜像は、現像器４５４の現像剤を静電搬送力（進行波電界）で搬送する静電搬送基板４５７で搬送された各色のトナーにより現像され顕像化される。感光体４５２と静電搬送基板４５７の対向部間にパスル状の現像バイアスが印加され、感光体４５２上の静電潜像が、静電搬送基板４５７で搬送されて来たトナーによりホッピング現象される。また、現像に供されなかったトナーは静電搬送基板４５７で搬送されてトナー戻しローラ４５８に戻される。
【００９７】
各４４１Ｂｋ、４４１Ｙ、４４１Ｃ、４４１Ｍの各色の画像形成に同期して、供給カセット４４３内の記録用紙が供給ローラ４４４で給紙され、レジストローラ４４５により所定のタイミングで転写ベルト４４６に向けて搬送される。そして、記録用紙は転写ベルト４４６に担持されて４つのプロセスカートリッジ４４１Ｂｋ、４４１Ｙ、４４１Ｃ、４４１Ｍの感光体に向けて順次搬送され、各感光体上のＢｋ、Ｙ、Ｃ、Ｍの各色のトナー像が順次重ね合わせて転写される。４色のトナー像が転写された記録用紙は、定着ベルト４４７と加圧ローラ４４８からなる定着装置４４９に搬送され、４色のトナー像からなるカラー画像が定着されて排紙トレイ４５１に排紙される。
【００９８】
なお、上記実施形態においては、本発明を画像形成装置としてのインクジェット記録装置をプリンタ構成にした例で説明したが、ファクシミリ装置、複写装置、プリンタ／ファックス／コピア複合機などにも適用することができる。また、インク以外の記録液（液体）を用いた画像形成装置、及びこの画像形成装置に印刷データを与える画像処理装置、この画像処理装置に搭載されるプリンタドライバなどにも適用することができる。
【図面の簡単な説明】
【００９９】
【図１】本発明を適用する画像形成装置の実施形態としてのインクジェット記録装置の機構部の概略構成図である。
【図２】同機構部の要部平面説明図である。
【図３】同装置のヘッドユニット構成を説明する斜視説明図である。
【図４】同装置の搬送ベルトの一例を説明する説明図である。
【図５】同装置の制御部の概要を示すブロック図である。
【図６】本発明に係る画像処理装置における本発明に係るプリンタドライバの構成の一例を機能的に説明するブロック図である。
【図７】同プリンタドライバによるジャギー補正に係る処理の説明に供する文字イメージの一例を示す説明図である。
【図８】同じく補正判定パターンの一例の説明に供する説明図である。
【図９】同じく補正判定パターンを用いた補正判定処理の説明に供するフロー図である。
【図１０】同補正判定処理の具体的説明に供する説明図である。
【図１１】同じく補正パターンとの比較処理の説明に供する説明図である。
【図１２】同比較処理の手順の説明に供する説明図である。
【図１３】同比較処理の説明に供するフロー図である。
【図１４】同じく補正パターンテーブルを用いた処理の説明に供する対象領域パターンの一例を示す説明図である。
【図１５】同処理の説明に供する補正パターンの一例を示す説明図である。
【図１６】同補正パターンテーブルの一例を示す説明図である。
【図１７】同補正パターンテーブルの具体的適用例の説明に供する説明図である。
【図１８】同補正パターンテーブルの例の説明に供する対象領域パターンの一例を示す説明図である。
【図１９】本発明に係る画像形成装置におけるジャギー補正に係わる部分を機能的に示すブロック説明図である。
【図２０】本発明に係る電子写真方式の画像形成装置の一例を示す概略構成図である。
【図２１】同画像形成装置のプロセスカートリッジの概略構成図である。
【符号の説明】
【０１００】
２…画像形成部
３…用紙
５…搬送機構部
１４…記録ヘッド
３３…搬送ベルト
９０…ホスト（画像処理装置）
９１…プリンタドライバ
【図１】
2005223696.tif 000003
【図２】
2005223696.tif 000004
【図３】
2005223696.tif 000005
【図４】
2005223696.tif 000006
【図５】
2005223696.tif 000007
【図６】
2005223696.tif 000008
【図７】
2005223696.tif 000009
【図８】
2005223696.tif 000010
【図９】
2005223696.tif 000011
【図１０】
2005223696.tif 000012
【図１１】
2005223696.tif 000013
【図１２】
2005223696.tif 000014
【図１３】
2005223696.tif 000015
【図１４】
2005223696.tif 000016
【図１５】
2005223696.tif 000017
【図１６】
2005223696.tif 000018
【図１７】
2005223696.tif 000019
【図１８】
2005223696.tif 000020
【図１９】
2005223696.tif 000021
【図２０】
2005223696.tif 000022
【図２１】
2005223696.tif 000023